(57)【特許請求の範囲】
【請求項１】
補助グリップ付き手工具装置（２）であって、主グリップ（６）を有するハウジング（４）と、このハウジング（４）に対して回動自在の支持素子（１４）と、この支持素子に対して移動した調整位置に固定可能な添え手グリップ（３０）とを具える手工具装置において、支持素子（１４）を２個の支持ポイント（Ｌ）によりハウジング（４）に対して回動自在に設けたことを特徴とする手工具装置。
【請求項２】
前記支持ポイント（Ｌ）は、ハウジング（４）の互いに対向する２個の側面（１８）に配置した請求項１記載の手工具装置。
【請求項３】
前記支持素子（１４）は、ツール（１０）側とは反対側の前記ハウジング（４）の上面（２０）を包囲し、また手置き面（２６）を設けたものとした請求項１または２の手工具装置。
【請求項４】
前記支持素子（１４）に、あぶみ状グリップ（２４）を設けた請求項１乃至３のうちのいずれか一項に記載の手工具装置。
【請求項５】
支持素子（１４）はハウジング（４）に対して取り外し可能に構成した請求項１乃至４のうちのいずれか一項に記載の手工具装置。
【請求項６】
添え手グリップ（３０）を支持素子（１４）に対して取り外し可能に構成した請求項１乃至５のうちのいずれか一項に記載の手工具装置。
【請求項７】
添え手グリップ（３０）には、支持素子（１４）に固定するクランプ装置（３６）を設けた請求項１乃至６のうちのいずれか一項に記載の手工具装置。
【請求項８】
クランプ装置（３６）は、添え手グリップ（３０）を主軸線（Ｈ）の周りにねじることにより操作するものとした請求項７記載の手工具装置。
【請求項９】
支持素子（１４）に案内を設け、この案内に沿って添え手グリップ（３０）を固定可能にした請求項１乃至７のうちのいずれか一項に記載の手工具装置。
【請求項１０】
前記案内は、支持素子（１４）に形成した貫通溝孔（２８）の制限面（４４）により構成した請求項９記載の手工具装置。
【請求項１１】
前記クランプ装置（３６）には、このクランプ装置（３６）を貫通溝孔（２８）に沿って案内するナット部分（４６）を設けた請求項１０記載の手工具装置。
【請求項１２】
前記案内には、ハウジング（４）の互いに対向する２個の側面（１８）の一方の側面から他方の側面にわたって延在するＵ字状の湾曲部分（３２）を設けた請求項９乃至１１のうちのいずれか一項に記載の手工具装置。
【請求項１３】
前記案内には、回動軸線（Ｓ）に対して直交する縦方向部分（３４）を設けた請求項９乃至１２のうちのいずれか一項に記載の手工具装置。
【請求項１４】
前記縦方向部分（３４）を前記湾曲部分（３２）に開口させた請求項１３記載の手工具装置。
【請求項１５】
前記添え手グリップ（３０）を鍋蓋のつまみ状に構成した請求項１乃至１４のうちのいずれか一項に記載の手工具装置。
【発明の詳細な説明】
【技術分野】
【０００１】
本発明は、面取り装置のような手工具装置であって、主グリップを有するハウジングと、このハウジングに対して回動自在の支持素子と、この支持素子に対して移動した調整位置に固定可能な添え手グリップとを具える手工具装置に関するものである。
【背景技術】
【０００２】
このような手工具装置によれば、異なる使用状態にグリップの配置を適合させ、各用途毎に良好な保持を可能にするため、添え手グリップの位置を主グリップに対して変更することができる。さらに、このような手工具装置によれば、右利きおよび左利きかの問題にも対応できる。
【０００３】
このような装置として、ハウジングに支持体を設けた面取り装置がある。（例えば、特許文献１参照。）この支持体には、添え手グリップを選択的に固定する２個の収容部を設けている。さらに、支持体は、ハウジングに対して互いに角度をなす回転位置に固定することができ、これと同時に、ハウジングに対する収容部の位置もシフトする。
【特許文献１】独国特許第１９７４５３０６号明細書
【発明の開示】
【発明が解決しようとする課題】
【０００４】
しかし、この既知の手法では、支持体とハウジングとの間の連結に極めて大きな力を必要とし、同時に支持体の位置も可変にしなければならないという欠点がある。このことは製造コストを増大させることになる。また、このような配置の添え手グリップでは、作動にあたり、ユーザーの手に比較的激しい振動が伝わり、このことは、手工具の操作性が悪く、ユーザーの疲労を早めることになる。さらに、例えば、面取り加工のような用途に関して、支持体が側方に突出するがゆえに、大きな押圧力を容易に加えることができる最適なグリップの配置を生ずることができない。
【０００５】
したがって、本発明の目的は、既知の補助グリップ付き手工具装置の欠点を排除し、用途に応じた快適な保持を可能にする補助グリップ付き手工具装置を得るにある。
【課題を解決するための手段】
【０００６】
この目的を達成するため、本発明手工具装置は、支持素子を２個の支持ポイントによりハウジングに対して回動自在に設けたことを特徴とする。
【発明の効果】
【０００７】
本発明のこの構成によれば、添え手グリップをハウジングに対して極めて安定的に固定することができる。また、支持素子の回動領域を比較的大きくとることができ、添え手グリップの位置決め範囲も拡大する。支持素子をハウジングに対して固定することにより、添え手グリップの僅かな回動も生ずる。このようにして、あらゆる使用状況に適合した快適な手工具装置の保持を行うことができるようになる。
【発明を実施するための最良の形態】
【０００８】
本発明の好適な実施例においては、支持ポイントは、ハウジングの互いに対向する２個の側面に配置する。この構成によれば、添え手グリップとハウジングとの間の連結を極めて安定したものにすることができる。
【０００９】
とくに好適な実施例においては、支持素子は、ツール側とは反対側の前記ハウジングの上面を包囲し、また手置き面を設けたものとする。この構成によれば、手工具装置を片手で案内するのに適した付加的なつかみ特性が得られる。この構成では、一方では保持した手が、作動で加熱する伝動機構ハウジングから離れることができる。また、他方では、ツールの回転軸線に対して交差する位置に手を置くことができ、手からツールに効率よく力を伝達することができる。したがって、例えば、面取り加工の際にとくに良好な作業効率が得られる。
【００１０】
好適には、支持素子に、あぶみ状グリップを設ける。この構成によれば、手工具装置をとくに安定して保持できる一層向上した保持特性が得られる。
【００１１】
好適には、添え手グリップを使用しない場合に手工具装置をすっきりとさせるため、支持素子はハウジングに対して取り外し可能に構成する。
【００１２】
さらに、添え手グリップを支持素子に対して取り外し可能に構成し、支持素子の手置き面およびあぶみ状グリップに障害物なくつかむことができるようにする。
【００１３】
添え手グリップには、支持素子に固定するクランプ装置を設けると好適である。この構成によれば、添え手グリップの支持素子に対する安定した固定が簡単にできる。
【００１４】
さらに、クランプ装置は、添え手グリップを主軸線の周りにねじることにより操作するものとするとよい。この構成によれば、添え手グリップき位置をとくに簡単に、かつ工具を使用することなく固定もしくは変更することができる。
【００１５】
好適な実施例においては、支持素子に案内を設け、この案内に沿って添え手グリップを固定可能にする。この構成によれば、添え手グリップを種々の位置に可変に位置決めすることができる。
【００１６】
案内は、支持素子に形成した貫通溝孔の制限面により構成すると好適である。この構成によれば、支持素子または案内がとくに構成簡単にし、製造コストを安価にすることができる。
【００１７】
この場合、クランプ装置には、このクランプ装置を貫通溝孔に沿って案内するナット部分を設けると好適である。この構成によれば、ナット部分の外側寸法を制限面間距離よりも僅かに小さくする。これにより、クランプ装置を僅かに開放した状態で、添え手グリップを伴い、案内に沿って新たな固定いに移動することができる。添え手グリップは、この後、支持素子から分離しないようにし、新たな位置に位置決めする。このことにより添え手グリップの操作性が簡素化される。
【００１８】
好適な実施例においては、案内には、ハウジングの互いに対向する２個の側面の一方の側面から他方の側面にわたって延在するＵ字状の湾曲部分を設ける。この構成によれば、添え手グリップを案内に沿って移動することにより、左利き用と右利き用との間で簡単かつ迅速に転換できる。
【００１９】
代案として、もしくは補完するものとして、案内には、回動軸線に対して直交する縦方向部分を設けると好適である。この構成によれば、添え手グリップの一層位置決め範囲が拡大する。例えば、面取り装置では、当該の加工ディスクの回転軸線が、添え手グリップと主グリップとの間にくるように添え手グリップを配置することができる。これにより、面取り加工の際の快適なつかみ保持と同時に、高い押圧力を加えられるようになる。
【００２０】
この場合、縦方向部分を湾曲部分に開口させるとよい。この構成によれば、添え手グリップを支持素子から取り外すことなく、添え手グリップを縦方向部分から湾曲部分に移動したり、またその逆に移動することもできるようになる。
【００２１】
好適な実施例においては、添え手グリップを鍋蓋のつまみ状に構成する。この構成によれば、手工具装置のとくに快適な両手案内が得られる。
【００２２】
次に、図面につき本発明の好適な実施例を説明する。
【実施例１】
【００２３】
図１は、面取り装置としての手工具装置２を示す。この手工具装置２は、ハウジング４を有し、このハウジング４は主グリップ６として形成する。ハウジング４の主グリップ６とは反対側の端部に伝動機構ハウジング８を設ける。伝動機構ハウジング８内には、切断ディスクまたは研削ディスクとしての加工ディスク１０を駆動するための図示しない伝動機構を収納する。
【００２４】
伝動機構ハウジング８には、全体的に参照符号１２で示す補助グリップを設ける。この補助グリップ１２には、回動軸線Ｓの周りに回動可能な頭巾状の支持素子１４を設ける。この回動軸線Ｓは、２個のボルト１６により構成し、これらボルト１６は、伝動機構ハウジング８の互いに対向する側面１８にねじ付けて、支持素子１４をハウジング４に保持する。このとき、支持素子１４は、伝動機構ハウジング８の上面２０をＵ字状に包囲し、前方端面２２にあぶみ状グリップ２４を設け、このあぶみ状グリップ２４は、作動中に、手工具装置２を安定的に保持するのに利用することができる。
【００２５】
支持素子１４を頭巾状にすることにより、支持素子１４は、上面２０から離れた手置き面２６を有する。また、同様に、支持素子１４は、快適に保持することができ、手工具装置２を片手で案内するためのグリップとして利用することもできる。
【００２６】
支持素子１４には添え手グリップ３０を案内および固定するのに使用する貫通溝孔２８を形成する。この貫通溝孔２８は、一方の側面１８から他方の反対側側面１８までＵ字状に延在する湾曲部分３２を有する。さらに、貫通溝孔２８には、回動軸線Ｓに直交するよう延在し、湾曲部分３２に対し直角の角度をなして開口する縦方向部分３４を有する。
【００２７】
図２に示すように、添え手グリップ３０には、支持素子１４の貫通溝孔２８に釈放自在に固定するため、参照符号３６で示すクランプ装置を設ける。このクランプ装置３６は、貫通溝孔２８に突入するねじ部分４０を有する。ねじ部分４０には、クランプディスク４３をねじ込む。このクランプディスクは、貫通溝孔２８を構成し、図２には一方のみしか示さない２個の制限側面４４の下方で掛合する。添え手グリップ３０を主軸線Ｈの周りにねじることによって、緊締素子３８がクランプディスク４２に対して回転または移動する。これによって、クランプ装置３６のクランプ状態を生じてクランプディスク４２と緊締素子３８との間に制限側面４４がクランプされるか、もしくは、補助グリップを貫通溝孔２８に沿って新たな位置に位置決めするため、クランプ装置３６の図示のクランプ状態から釈放される。添え手グリップ３０を必要としない場合、クランプ装置３６も完全に釈放し、添え手グリップ３０を支持素子１４から分離することができる。いずれにせよ、クランプ装置３６の操作は、すべて添え手グリップ３０をねじることによって行い、したがって、工具を必要としない。
【００２８】
クランプディスク４２には、貫通溝孔２８の幅よりも僅かに小さい幅を有する断面が矩形の矩形ナット部分４６を形成する。これにより、一方では、クランプディスク４２は、緊締素子３８の回転の際に、制限面４４間で相対回転不能に保持され、クランプ装置３６を緊締したり、ゆるめたりすることができる。また、他方では、この矩形ナット部分４６は、クランプ装置３６をゆるめたとき、クランプ装置３６または添え手グリップ３０を貫通溝孔２８に沿って案内する作用を行う。
【００２９】
図３には、ハウジング４から分離した支持素子１４に、鍋蓋つまみ状の添え手グリップ３０を固定した状態を示す。貫通溝孔の縦方向部分３４に横置きグリップ３０がある図示の状態では、手工具装置２をとくに快適に保持することができる。
【００３０】
図４は、支持素子１４の２個の支持ポイントＬからハウジングにかけての部分断面を示し、ハウジングにねじ込むボルト１６を示す。ボルト１６は、貫通溝孔２８の湾曲部分３２における端部、ならびにハウジング４と支持素子１４との間に配置した第１調整リング４８および支持素子１４とボルトヘッド５２との間に配置した第２調整リング５０とに掛合する。
【００３１】
双方の調整リング４８，５０はくさび状の断面を有する。第１調整リングは、ハウジングの側面１８と支持ポイントＬの領域における支持素子１４との間の角度を調整する。第２調整リング５０は、支持素子１４とボルトヘッド５２との間の傾斜を調整する。これにより、支持素子１４は、ハウジング４に安定的に保持され、また、ボルト１６を僅かにゆるめることによって引っ掛かりなく回動することができる。
【００３２】
再び支持素子１４を掴みやすくする添え手グリップ３０を必要とする場合、ボルト１６を伝動機構ハウジング８から完全にねじ戻し、支持素子１４をハウジング４から分離することができる。
【００３３】
図５には、支持素子１４の図１に示す位置に対して回動した位置を示す。この場合、支持素子１４は、主グリップ６からハウジング４の端部における止め部まで回動している。添え手グリップ３０は貫通溝孔２８の湾曲部分３２に開口する縦方向部分３４の領域に固定する。この配置状態では、添え手グリップ３０はハウジングの長さ方向の延長線上に伝動機構ハウジング８から突出し、これにより、加工ディスク１０の加工軸線Ｗは主グリップ６と添え手グリップ３０との間に位置する。このグリップ配置は、とくに、面取り加工をする際に好ましく、加工軸線Ｗの方向に容易に高い押圧力を加えることができる。
【図面の簡単な説明】
【００３４】
【図１】本発明による手工具装置の斜視図である。
【図２】図１の手工具の支持素子に添え手グリップを固定した状態の一部断面とする側面図である。
【図３】図２の支持素子に他の添え手グリップを固定した状態の斜視図である。
【図４】図１の手工具装置のハウジング対する支持素子の支持ポイントにおける断面図である。
【図５】図１の手工具装置の支持素子を図１の状態から回動した状態の斜視図である。
【符号の説明】
【００３５】
２  手工具装置
４  ハウジング
６  主グリップ
８  伝動機構ハウジング
１０  加工ディスク
１２  補助グリップ
１４  支持素子
１６  ボルト
１８  側面
２０  上面
２２  前方端面
２４  あぶみ状グリップ
２６  手置き面
２８  貫通溝孔
３０  添え手グリップ
３２  湾曲部分
３４  縦方向部分
３６  クランプ装置
３８  緊締素子
４０  ねじ部分
４２  クランプディスク
４４  制限側面
４６  矩形ナット部分
４８  第１調整リング
５０  第２調整リング
【図１】
0004827428.tif 000002
【図２】
0004827428.tif 000003
【図３】
0004827428.tif 000004
【図４】
0004827428.tif 000005
【図５】
0004827428.tif 000006